(57)【要約】【課題】アラーム機能による装置へのアラーム出力が出たままの故障時であっても、蓄電池から装置に電力供給され続けるのを確実に防止できる機能を持つ車両用制御装置を提供する。【解決手段】この車両用制御装置１では、時計ＩＣ９の電源部に時計ＩＣ９への電源供給の遮断指示を保持するラッチ機能を持つ電源遮断手段としての電源部半導体スイッチ１２が設けられ、マイクロコンピュータ４のアラーム監視及び電源制御手段が時計ＩＣ９からのアラーム出力ＡＬＭによる起動信号の出力を定期的に監視して異常が発生しているか否かを判定した結果、異常発生時にはスイッチ１２に対して時計ＩＣ９への電源供給の遮断を指示する電源遮断制御信号を出力する。スイッチ１２は、電源遮断制御信号を受けて時計ＩＣ９への電源供給を遮断するため、低圧蓄電池５から装置１に電力供給され続けるのを防止することができ、低圧蓄電池５の上がりが効果的に抑止される。【選択図】図１
2015147471.tif 000002
【特許請求の範囲】
【請求項１】
予め設定した時刻でアラーム出力を発生して装置への起動信号を出力するアラーム手段と、前記アラーム手段への電源供給の遮断指示を保持するラッチ機能を持つ電源遮断手段と、を有する車両用制御装置において、
前記アラーム手段からの前記起動信号の出力を定期的に監視して当該起動信号の出力に異常が発生しているか否かを判定した結果、当該異常の発生時には前記電源遮断手段に対して当該アラーム手段への電源供給の遮断を指示する電源遮断制御信号を出力するアラーム監視及び電源制御手段を有し、前記電源遮断手段は、前記アラーム監視及び電源制御手段による前記電源遮断制御信号を受けて前記アラーム手段への電源供給を遮断することを特徴とする車両用制御装置。
【請求項２】
請求項１記載の車両用制御装置において、前記アラーム監視及び電源制御手段は、前記アラーム手段からの前記起動信号の出力の定期的な監視について、当該アラーム手段に診断用のアラーム発生時刻を設定して予定時刻に当該起動信号の出力が発生することを定期的に確認して行うことを特徴とする車両用制御装置。
【請求項３】
請求項２記載の車両用制御装置において、前記アラーム監視及び電源制御手段は、前記アラーム手段からの前記起動信号の出力の定期的な監視について、当該アラーム手段に前記診断用のアラーム発生時刻を設定しても当該起動信号の出力が発生するときに前記異常の発生として判定することを特徴とする車両用制御装置。
【請求項４】
請求項２記載の車両用制御装置において、前記アラーム監視及び電源制御手段は、前記アラーム手段からの前記起動信号の出力の定期的な監視について、起動予定時刻前に当該起動信号の出力が発生するときに前記異常の発生として判定することを特徴とする車両用制御装置。
【請求項５】
請求項１記載の車両用制御装置において、前記アラーム監視及び電源制御手段は、シャットオフ処理時に前記アラーム手段からの前記起動信号の出力を監視して当該起動信号の出力が発生するときに前記異常の発生として判定し、前記電源遮断手段に対して前記電源遮断制御信号を出力することを特徴とする車両用制御装置。
【請求項６】
予め設定した時刻でアラーム出力を発生して装置への起動信号を出力するアラーム手段と、前記アラーム手段への電源供給を遮断する電源遮断手段と、を有する車両用制御装置において、
前記アラーム手段からの前記起動信号の出力信号側に介在されて装置からの当該起動信号への出力遮断指示を保持するラッチ機能を持つと共に、当該起動信号の出力を遮断する出力遮断手段と、前記アラーム手段からの前記起動信号の出力を定期的に監視して当該起動信号の出力に異常が発生しているか否かを判定した結果、当該異常の発生時には前記出力遮断手段に対して当該起動信号の出力遮断を指示する出力遮断制御信号を出力するアラーム監視及び電源制御手段を有し、前記出力遮断手段は、前記アラーム監視及び電源制御手段による前記出力遮断制御信号を受けて前記アラーム手段からの前記起動信号の出力を遮断することを特徴とする車両用制御装置。
【発明の詳細な説明】
【技術分野】
【０００１】
本発明は、電気自動車の内燃機関（エンジン）に代表される蓄電池を搭載した車両に適用され、特にアラーム機能により所望の時刻に再起動する機能を持つ車両用制御装置に関する。
【背景技術】
【０００２】
従来、この種のアラーム機能で起動する車両用制御装置の周知技術としては、例えば計時手段の異常の有無を判定すると共に、異常有りの場合は正しく時刻設定を行うことができ、誤った経過時間等を使用することによる誤動作を防止できる「車両等の制御装置」（特許文献１参照）や、更なる低消費電力化を実現できる「電子制御装置」（特許文献２参照）が挙げられる。
【先行技術文献】
【特許文献】
【０００３】
【特許文献１】特開２００７−１４５２３５号公報
【特許文献２】特開２００９−１４８０７１号公報
【発明の概要】
【発明が解決しようとする課題】
【０００４】
上述した特許文献１に係る技術は車両用制御装置として計時機能の故障診断を行うものであり、特許文献２に係る技術は車両用制御装置として計時機能が不要な場合に指示を保持できる手段で電源を遮断するものであるが、何れの場合もアラーム機能の車両用制御装置に対する起動信号となるアラーム出力が出たままの故障時には、キースイッチをオフしても車両用制御装置への電源が入ったままの状態になってしまい、これによって車両用制御装置へ電力供給する蓄電池（バッテリ）が上がってしまうという問題がある。
【０００５】
本発明は、このような問題点を解決すべくなされたもので、その技術的課題は、アラーム機能による装置へのアラーム出力が出たままの故障時であっても、蓄電池から装置に電力供給され続けるのを確実に防止できる機能を持つ車両用制御装置を提供することにある。
【課題を解決するための手段】
【０００６】
上記技術的課題を解決するため、本発明の基本構成の１つは、予め設定した時刻でアラーム出力を発生して装置への起動信号を出力するアラーム手段と、アラーム手段への電源供給の遮断指示を保持するラッチ機能を持つ電源遮断手段と、を有する車両用制御装置において、アラーム手段からの起動信号の出力を定期的に監視して当該出力に異常が発生しているか否かを判定した結果、当該異常の発生時には電源遮断手段に対して当該アラーム手段への電源供給の遮断を指示する電源遮断制御信号を出力するアラーム監視及び電源制御手段を有し、電源遮断手段は、アラーム監視及び電源制御手段による電源遮断制御信号を受けてアラーム手段への電源供給を遮断することを特徴とする。
【０００７】
また、上記技術的課題を解決するため、本発明の基本構成のもう１つは、予め設定した時刻でアラーム出力を発生して装置への起動信号を出力するアラーム手段と、アラーム手段への電源供給を遮断する電源遮断手段と、を有する車両用制御装置において、アラーム手段からの起動信号の出力信号側に介在されて装置からの当該起動信号への出力遮断指示を保持するラッチ機能を持つと共に、当該起動信号の出力を遮断する出力遮断手段と、アラーム手段による起動信号の出力を定期的に監視して当該出力に異常が発生しているか否かを判定した結果、当該異常の発生時には出力遮断手段に対して当該起動信号の出力遮断を指示する出力遮断制御信号を出力するアラーム監視及び電源制御手段を有し、出力遮断手段は、アラーム監視及び電源制御手段による出力遮断制御信号を受けてアラーム手段からの起動信号の出力を遮断することを特徴とする。
【発明の効果】
【０００８】
本発明の車両用制御装置によれば、アラーム監視及び電源制御手段がアラーム手段からのアラーム出力による起動信号の出力を定期的に監視して異常が発生していれば、アラーム手段への電源供給の遮断指示を保持するラッチ機能を持つ電源遮断手段に対してアラーム手段への電源供給の遮断を指示するか、或いはアラーム手段からの起動信号への出力遮断指示を保持するラッチ機能を持つ出力遮断手段に対してアラーム手段からの起動信号の出力遮断を指示し、これらの指示を受けて電源遮断手段がアラーム手段への電源供給を遮断するか、或いは出力遮断手段がアラーム手段からの起動信号の出力を遮断するため、何れの場合もアラーム機能による装置へのアラーム出力が出たままの故障時であっても、それを検出して低圧用の蓄電池から装置に電力供給され続けるのを確実に防止することができ、蓄電池の上がりが効果的に抑止されるようになる。
【図面の簡単な説明】
【０００９】
【図１】本発明の実施例１に係る車両用制御装置の基本構成を示した概略ブロック図である。
【図２】図１に示す車両用制御装置の始動時に実行される動作処理を示したフローチャートである。
【図３】図２に示す動作処理に含まれる車両用制御装置で定期的に実行される時刻処理を示したフローチャートである。
【図４】図３に示す時刻処理に含まれる車両用制御装置で定期的に実行される診断処理を示したフローチャートである。
【図５】本発明の実施例２に係る車両用制御装置の基本構成を示した概略ブロック図である。
【発明を実施するための形態】
【００１０】
以下、本発明の車両用制御装置について、幾つかの実施例を挙げ、図面を参照して詳細に説明する。
【実施例１】
【００１１】
図１は、本発明の実施例１に係る車両用制御装置（車両コントロールユニット／エンジンやインバータへ制御指示を出す機能を持つものであるが、図１中ではＥＣＵとして表記する）１の基本構成を示した概略ブロック図である。この車両用制御装置１は、エンジン１３を有するプラグインのハイブリッド電気自動車に適用された例を示しており、低圧用の蓄電池である低圧蓄電池（バッテリー）５から直接的に常時１２Ｖ〜１４Ｖの電圧ＢＡＴＴが印加されて電源供給されると共に、イグニションスイッチであるシステム始動スイッチ６のオン状態（ＩＧＮ）で連動する電源リレー７を介して電圧ＶＢが印加されて電源供給されるようになっており、高圧（例えば３６０Ｖ）用の蓄電池である高圧蓄電池（バッテリー）２を搭載した車両において高圧蓄電池２に対して充電を行う充電器３の制御を含む種々制御を行うものであり、その主要構成要素としてＣＰＵ、ＲＯＭ、ＲＡＭ、ＩＯ等を備えたマイクロコンピュータ４を内蔵する。
【００１２】
また、車両用制御装置１では、電圧ＢＡＴＴ及び電圧ＶＢが変圧器８でそれぞれ５Ｖ程度に変換された上、マイクロコンピュータ４、アラーム手段の時計ＩＣ９等の内部の各素子に印加される。電源リレー７は、システム始動スイッチ６がオフ状態となった後にも電源供給を保持するためにマイクロコンピュータ４の出力、並びに時計ＩＣ９のアラーム機能で半導体スイッチ１０をオンにして、電源リレー７を接続させて電圧ＶＢによる電源供給を行わせるものである。尚、電源リレー７が非接続のオフ中も記憶が必要な情報は、マイクロコンピュータ４とシリアル通信で繋がる不揮発性メモリ１１で記憶する。
【００１３】
以下は、係る車両用制御装置１において、システム始動スイッチ６がオフの間も時計ＩＣ９により予め設定したアラーム時刻にアラーム出力ＡＬＭを発生して起動信号として装置を起動し、充電器３で高圧蓄電池２を充電するシステム機能について説明する。但し、実施例１に係る車両用制御装置１では、時計ＩＣ９の電源部となる変圧器８と時計ＩＣ９との間に時計ＩＣ９への電源供給の遮断指示を保持するラッチ機能を持つ電源遮断手段としての電源部半導体スイッチ１２が介在されており、マイクロコンピュータ４が時計ＩＣ９からの起動信号の出力を定期的に監視して出力に異常が発生しているか否かを判定した結果、異常の発生時には電源部半導体スイッチ１２に対して時計ＩＣ９への電源供給の遮断を指示する電源遮断制御信号を出力するアラーム監視及び電源制御手段として働く。ラッチ機能を持つ電源部半導体スイッチ１２は、マイクロコンピュータ４のアラーム監視及び電源制御手段による電源遮断制御信号を受けて時計ＩＣ９への電源供給を遮断する。
【００１４】
即ち、ここでのマイクロコンピュータ４のアラーム監視及び電源制御手段は、時計ＩＣ９の機能停止を検出したときには、時計ＩＣ９の電源部に相当する電源部半導体スイッチ１２をオフからオンにして時計ＩＣ９を再起動するが、時計ＩＣ９のアラーム出力ＡＬＭによる起動信号が出力され続ける故障時には、電源リレー７がオン状態のままの影響を被らないように電源部半導体スイッチ１２をオフ状態にして電源供給を遮断し、時計ＩＣ９のアラーム出力ＡＬＭによる起動信号をオフ状態にする。尚、電源部半導体スイッチ１２のラッチ機能は、ここで電源リレー７がオフ状態となってマイクロコンピュータ４が停止しても、電源部半導体スイッチ１２をオフ状態にしたままの状態を保つために設けられている。
【００１５】
更に、車両用制御装置１は、車両の運転者のアクセル操作に応じてエンジン１３、及び走行モータ（Ｍ）１４が動くようにＣＡＮ通信によりエンジン制御装置（ＥＣＭ）１５、及びインバータ（ＩＮＶ）１６に指令信号を出力し、更にナビゲーション装置（ＮＡＶＩ）１７がＣＡＮ通信で出力する時刻情報に基づいて現在時刻を設定可能となっている。
【００１６】
図２は、実施例１の車両用制御装置１の始動時に実行される動作処理を示したフローチャートである。ここでの動作処理は、システム始動スイッチ６がオンされて以降にマイクロコンピュータ４が実行する時計ＩＣ９に関連するプログラムの処理手順を示すものである。
【００１７】
図２を参照して、具体的に説明すれば、このプログラムは、システム始動スイッチ６をオンにして半導体スイッチ１０がオンとなることで、電源リレー７がオンしてマイクロコンピュータ４が起動することでＲＥＳＥＴ処理を始動するもので、最初に電源リレー７をオンにし、システム始動スイッチ６がオフ状態となった後にも必要な処理が終るまで給電を確保できるようにする自己電源＝ＯＮ（ステップＳ１００）とする処理を行った後、不揮発性メモリ１１に設けたキーデータが正常書込みを示しているか否か、並びに不揮発性メモリ１１にある時刻と時計ＩＣ９にあるアラーム時刻とが一致するか否かを確認することでデータ＝正常であるか否かの判定（ステップＳ１０１）を行う。
【００１８】
この判定の結果、書込み途中で低圧電池５が脱着される等によりデータが正常でなければ（例えばアラーム時刻が一致しない場合には、時計ＩＣ９が機能停止した可能性があるとみなして時計ＩＣ９を再起動するため）、時計ＩＣ９の電源部に相当する電源部半導体スイッチ１２を所定時間オフにしてから再度オンにする電源断続要求（ステップＳ１０２）をセットする処理を行った後、データが正常であるときにジャンプされる場合と同様に、この後はシステム始動スイッチ６がオフになったか否かを判断することでセルフシャットオフであるか否かの判定（ステップＳ１０３）を行う。この判定の結果、セルフシャットオフでなければ、定期的に例えば１０ミリ秒毎に実行する車両制御（ステップＳ１０４）の処理でエンジン１３や走行モータ１４に対する指令演算を実行した後、後文で詳述する時刻処理（ステップＳ１０５）を実行してからセルフシャットオフであるか否かの判定（ステップＳ１０３）の前へ戻る処理を繰り返す。ステップＳ１０３で、セルフシャットオフであれば不揮発性メモリ１１へのデータ書込み等のシャットオフ処理（ステップＳ１０６）を実行して電源リレー７をオフ状態にする。
【００１９】
この後、車両用制御装置１を起動させる時計ＩＣ９のアラーム出力ＡＬＭが出力されているか否かを判断することにより、起動信号＝出力であるか否かの判定（ステップＳ１０７）を行う。この判定の結果、起動信号＝出力であれば、アラーム監視及び電源制御手段（プログラムのアラーム監視及び電源制御機能）により、シャットオフ処理（ステップＳ１０６）を実行したにも拘らず起動信号の出力が発生する場合の異常の発生として判定し、電源部半導体スイッチ１２に対して時計ＩＣ９への電源供給の遮断を指示する電源遮断制御信号を出力することにより、電源部半導体スイッチ１２をオフして時計ＩＣ９のアラーム出力ＡＬＭをオフにするＩＣエラー（ステップＳ１０８）の処理を行った後、起動信号＝出力でないときにジャンプされる場合と同様に、引き続いて自己電源が切れるまでシステム始動スイッチ６のオン状態を監視してＩＧＮ＝ｏｎであるか否かの判定（ステップＳ１０９）を行う。この判定の結果、ＩＧＮ＝ｏｎであれば最初の自己電源＝ＯＮ（ステップＳ１００）とする処理の前に戻るが、ＩＧＮ＝ｏｎでなければ係るＩＧＮ＝ｏｎであるか否かの判定（ステップＳ１０９）の前に戻って判定処理を継続する。即ち、ここでのＩＧＮ＝ｏｎであるか否かの判定（ステップＳ１０９）は、システム始動スイッチ６の状態を見ながら電圧が降下してマイクロコンピュータ４がシャットダウンとなって停止するのを待つもので、その待ち時間にシステム始動スイッチ６が再度オンすれば、最初の自己電源＝ＯＮ（ステップＳ１００）とする処理の前に戻ってＲＥＳＥＴ処理を再開するものである。
【００２０】
図２中では、特に起動信号＝出力であるか否かの判定（ステップＳ１０７）の結果、起動信号＝出力である場合にＩＣエラー（ステップＳ１０８）の処理を行う流れによって、マイクロコンピュータ４のアラーム監視及び電源制御手段がシャットオフ処理時に時計ＩＣ９からの起動信号の出力を監視して起動信号の出力が発生するときに異常の発生の一形態を適確に判定し、電源部半導体スイッチ１２に対して電源遮断制御信号を出力することを技術的特徴としている。
【００２１】
図３は、図２に示す動作処理に含まれる車両用制御装置１で定期的に実行される時刻処理を示したフローチャートである。この時刻処理は、マイクロコンピュータ４で定期的に１０ミリ秒毎に実行する時計ＩＣ９との時刻処理の手順を示すものである。
【００２２】
図３を参照して、具体的に説明すれば、時刻処理では最初に時計ＩＣ９の電源断続要求がセットされているか否かを判断することにより、断続要求＝有りか否かの判定（ステップＳ１１０）を行う。この判定の結果、断続要求＝有りであれば、時計ＩＣ９の電源部にある電源部半導体スイッチ１２を所定時間オフにしてから再びオンにして時計ＩＣ９を再起動する電源断続処理（ステップＳ１１１）を行った後、時計ＩＣ９を初期設定する要求をセットする初期設定要求（ステップＳ１１２）の処理を行ってから処理終了となるが、断続要求＝有りでなければ、引き続いて時計ＩＣ９の初期設定要求がセットされているか否かを判断することにより、初期設定要求＝有りか否かの判定（ステップＳ１１３）を行う。
【００２３】
この判定の結果、初期設定要求＝有りであれば、時計ＩＣ９のレジスタを初期設定する初期設定処理（ステップＳ１１４）を行った後、時計ＩＣ９に時刻を設定する要求をセットする時刻設定要求（ステップＳ１１５）の処理を行ってから処理終了となるが、初期設定要求＝有りでなければ、引き続いて時計ＩＣ９の時刻設定要求がセットされているか否かを判断することにより、時刻設定要求＝有りか否かの判定（ステップＳ１１６）を行う。この判定の結果、時刻設定要求＝有りであれば、時計ＩＣ９のレジスタに時刻情報を設定する時刻設定処理（ステップＳ１１７）を行ってから処理終了となるが、時刻設定要求＝有りでなければ、引き続いて先の図２中の車両制御（ステップＳ１０４）の中で定期的に設定される時計ＩＣ９の診断要求がセットされているか否かを判断することにより、診断要求＝有りか否かの判定（ステップＳ１１８）を行う。この判定の結果、診断要求＝有りであれば、後文で詳述する診断処理（ステップＳ１１９）を実行してから処理終了となるが、診断要求＝有りでなければ、引き続いて時計ＩＣ９から現在時刻を読み出すタイミング（０．５秒周期）であるか否かを判断することにより、読出しタイミングであるか否かの判定（ステップＳ１２０）を行う。
【００２４】
この判定の結果、読出しタイミングでなければ、そのまま処理終了となるが、読出しタイミングであれば、時計ＩＣ９のレジスタから現在時刻、及び時計ＩＣ９の状態情報を読み出す時刻読出し（ステップＳ１２１）の処理を行った後、時計ＩＣ９の状態情報により時計ＩＣ９の電圧低下、水晶の発振停止、或いはリセット発生の少なくとも１つが起きたか否かを判断することにより、リセット＝要であるか否かの判定（ステップＳ１２２）を行う。この判定の結果、リセット＝要でなければ、そのまま処理終了となるが、リセット＝要であれば、電源断続要求をセットする電源断続要求（ステップＳ１２３）の処理を行ってから処理終了となる。
【００２５】
図３中では、特に診断要求＝有りか否かの判定（ステップＳ１１８）の結果、診断要求＝有りであれば、診断処理（ステップＳ１１９）を実行する流れによって、マイクロコンピュータ４のアラーム監視及び電源制御手段が時計ＩＣ９からの起動信号の出力の定期的な監視について、専用の診断機能を活かすために時計ＩＣ９に診断用のアラーム発生時刻を設定して予定時刻に起動信号の出力が発生することを定期的に確認して行うことを技術的特徴としている。
【００２６】
図４は、図３に示す時刻処理に含まれる車両用制御装置１で定期的に実行される診断処理を示したフローチャートである。この診断処理は、マイクロコンピュータ４で定期的にセットされる時計ＩＣ９の診断要求が発生している間、１０ミリ秒毎に実行する時計ＩＣ９に診断用のアラーム発生時刻を設定して予定時刻にアラームが発生するか否かを診断する手順を示すフローチャートである。
【００２７】
図４を参照して、具体的に説明すれば、診断処理では最初に診断用のアラーム発生時刻を設定して診断が始まっているか否かを判断することにより、診断時刻を設定済であるか否かの判定（ステップＳ１３０）を行う。この判定の結果、診断時刻を設定済でなければ、診断用のアラーム発生時刻の設定等を行う初期設定処理（ステップＳ１３１）を行った後、車両用制御装置１を起動させる時計ＩＣ９のアラーム出力ＡＬＭが出力されているか否かを判断することにより、起動信号＝出力であるか否かの判定（ステップＳ１３２）を行う。この判定の結果、起動信号＝出力でなければ、異常ではないのでそのまま処理終了とするが、起動信号＝出力であれば、時計ＩＣ９に診断用のアラーム発生時刻を設定してもアラーム出力ＡＬＭが出力されたままの場合の異常の発生として判定し、ＩＣエラー（ステップＳ１３３）の処理を行ってから処理終了となる。尚、ここでのＩＣエラー（ステップＳ１３３）の処理は、図２を参照して説明した電源部半導体スイッチ１２をオフして時計ＩＣ９のアラーム出力ＡＬＭをオフにするＩＣエラー（ステップＳ１０８）の処理と同様なものである。
【００２８】
一方、最初の診断時刻を設定済であるか否かの判定（ステップＳ１３０）の結果、診断時刻を設定済であれば、引き続いて時計ＩＣ９のアラーム出力ＡＬＭが出力されているか否かを判断することにより、起動信号＝出力であるか否かの判定（ステップＳ１３４）を行う。この判定の結果、起動信号＝出力でなければ、予定時刻が経過しているか否かを判断することにより、予定時刻が経過しているか否かの判定（ステップＳ１３５）を行う。この判定の結果、予定時刻が経過していなければ、異常ではないのでそのまま処理終了となるが、予定時刻が経過していれば、予定時刻に到達しているにも拘らず時計ＩＣ９のアラーム出力ＡＬＭが出力されていないとみなしてＩＣエラー（ステップＳ１３３）の処理を行ってから処理終了となる。
【００２９】
他方、起動信号＝出力であるか否かの判定（ステップＳ１３４）の結果、起動信号＝出力であれば、引き続いて予定時刻が経過しているか否かを判断することにより、予定時刻が経過しているか否かの判定（ステップＳ１３６）を行う。この判定の結果、予定時刻が経過していなければ、予定時刻到達前にも拘らず時計ＩＣ９のアラーム出力ＡＬＭが出力されているとみなしてＩＣエラー（ステップＳ１３３）の処理を行ってから処理終了となるが、予定時刻が経過していれば、時計ＩＣ９は正常とみなして診断要求クリア（ステップＳ１３７）の処理を行った後、時計ＩＣ９に時刻を設定する要求をセットする時刻設定要求（ステップＳ１３８）の処理を行ってから処理終了となる。
【００３０】
図４中では、特に起動信号＝出力であるか否かの判定（ステップＳ１３２）の結果、起動信号＝出力であればＩＣエラー（ステップＳ１３３）の処理を行う流れによって、マイクロコンピュータ４のアラーム監視及び電源制御手段が時計ＩＣ９からの起動信号の出力の定期的な監視について、時計ＩＣ９に診断用のアラーム発生時刻を設定しても起動信号の出力が発生するときに異常の発生の他形態を適確に判定し、起動信号＝出力であるか否かの判定（ステップＳ１３４）の結果、起動信号＝出力であって、更に予定時刻が経過しているか否かの判定（ステップＳ１３６）の結果、予定時刻が経過していなければＩＣエラー（ステップＳ１３３）の処理を行う流れによって、マイクロコンピュータ４のアラーム監視及び電源制御手段が時計ＩＣ９からの起動信号の出力の定期的な監視について、起動予定時刻前に起動信号の出力が発生するときに異常の発生の別形態を適確に判定し、何れの場合にも電源部半導体スイッチ１２に対して電源遮断制御信号を出力することを技術的特徴としている。
【００３１】
以上のように構成された実施例１に係る車両用制御装置１では、マイクロコンピュータ４のアラーム監視及び電源制御手段が時計ＩＣ９からのアラーム出力ＡＬＭによる起動信号の出力を定期的に監視して図２〜図４を参照して説明した想定される形態の異常が発生していれば、時計ＩＣ９への電源供給の遮断指示を保持するラッチ機能を持つ電源部半導体スイッチ１２に対して時計ＩＣ９への電源供給の遮断を指示し、これを受けて電源部半導体スイッチ１２が時計ＩＣ９への電源供給を遮断するため、時計ＩＣ９のアラーム機能による装置へのアラーム出力ＡＬＭが出たままの故障時であっても、これを検出して低圧蓄電池５から装置に電力供給され続けるのを確実に防止することができ、低圧蓄電池５の上がりが効果的に抑止されるようになる。
【実施例２】
【００３２】
図５は、本発明の実施例２に係る車両用制御装置１′の基本構成を示した概略ブロック図である。先の実施例１の車両用制御装置１では、時計ＩＣ９の電源部に相当する電源遮断手段としての電源部半導体スイッチ１２にラッチ機能を設け、時計ＩＣ９の異常発生時に電源部半導体スイッチ１２で時計ＩＣ９への電源供給を遮断するようにしたが、実施例２に係る車両用制御装置１′では、図５を参照すれば、時計ＩＣ９の電源部に相当する電源遮断手段としての電源部半導体スイッチ１２′がラッチ機能を持たない場合に、時計ＩＣ９のアラーム出力ＡＬＭ側にラッチ機能を持つアラーム出力部半導体スイッチ１８を設け、時計ＩＣ９の異常発生時にアラーム出力部半導体スイッチ１８で時計ＩＣ９からのアラーム出力ＡＬＭによる起動信号を遮断するようにしたものである。
【００３３】
即ち、ここでのアラーム出力部半導体スイッチ１８は、時計ＩＣ９によるアラーム出力ＡＬＭによる起動信号の出力信号側に介在されて装置（マイクロコンピュータ４′）からの起動信号への出力遮断指示を保持するラッチ機能を持つと共に、起動信号の出力を遮断する出力遮断手段として働く。また、マイクロコンピュータ４′のアラーム監視及び電源制御手段（プログラムのアラーム監視及び電源制御機能）は、時計ＩＣ９による起動信号の出力を定期的に監視して出力に異常が発生しているか否かを判定した結果、異常の発生時にはアラーム出力部半導体スイッチ１８に対して起動信号の出力遮断を指示する出力遮断制御信号を出力する。更に、アラーム出力部半導体スイッチ１８は、マイクロコンピュータ４′のアラーム監視及び電源制御手段による出力遮断制御信号を受けて時計ＩＣ９からの起動信号の出力を遮断する。
【００３４】
このように構成された実施例２に係る車両用制御装置１′では、マイクロコンピュータ４′のアラーム監視及び電源制御手段（プログラムのアラーム監視及び電源制御機能）が時計ＩＣ９からの起動信号の出力を定期的に監視して異常が発生していれば、アラーム出力部半導体スイッチ１８に対して時計ＩＣ９からのアラーム出力ＡＬＭによる起動信号の出力遮断を指示し、これを受けてアラーム出力部半導体スイッチ１８が時計ＩＣ９からのアラーム出力ＡＬＭによる起動信号の出力を遮断し、電源リレー７が入力されるままになることを防止するため、実施例１の場合と同様に、時計ＩＣ９のアラーム機能による装置へのアラーム出力ＡＬＭが出たままの故障時であっても、これを検出して低圧蓄電池５から装置に電力供給され続けるのを確実に防止することができ、低圧蓄電池５の上がりが効果的に抑止されるようになる。
【００３５】
因みに、実施例２に係る車両用制御装置１′においても、実施例１の場合のようにマイクロコンピュータ４′のアラーム監視及び電源制御手段（プログラムのアラーム監視及び電源制御機能）が時計ＩＣ９からの起動信号の出力を定期的に監視して異常が発生していれば、電源部半導体スイッチ１２′に対して時計ＩＣ９への電源供給の遮断を指示する電源遮断制御信号を出力する機能が持たされるとみなされるが、ここでの電源部半導体スイッチ１２′はラッチ機能を持たないため、電源リレー７がオフ状態となってマイクロコンピュータ４′が停止してしまうと、電源部半導体スイッチ１２をオフ状態にしたままの状態に保つことができない。それ故、ラッチ機能を持つアラーム出力部半導体スイッチ１８を制御して時計ＩＣ９からのアラーム出力ＡＬＭによる起動信号を遮断することが有効となる。
【００３６】
実施例２の構成は、電源部半導体スイッチ１２′がラッチ機能を持たない場合にラッチ機能を持つアラーム出力部半導体スイッチ１８を設けて同様な機能を持たせたもので、実施例１の構成と比べて時計ＩＣ９への低圧蓄電池５からの電源供給を停止できないために機能上で若干相違を有するが、低圧蓄電池５の上がりは十分防止できるので、基本性能上では遜色ないものとなっている。
【００３７】
以上の実施例１に係る車両用制御装置１、及び実施例２に係る車両用制御装置１′では、エンジン１３を有するプラグインのハイブリッド電気自動車に適用される場合を説明したが、純粋の電気自動車でも時計ＩＣ９のアラーム機能を使って充電器３による高圧蓄電池２を充電する機能を持つものには同様に適用できるので、本発明の車両用制御装置は、各実施例で説明した形態のものに限定されない。
【産業上の利用可能性】
【００３８】
本発明の車両用制御装置におけるアラーム手段に対する電源供給の遮断やアラーム出力の遮断についての技術は、車両用制御装置以外にも所望の時刻にアラーム出力で起動して動作する蓄電池を使用した電子情報処理装置や電気通信機器において、アラーム出力の故障により電力供給が継続して蓄電池の上がりになることを防止する目的で適用できる。
【符号の説明】
【００３９】
１、１′  車両用制御装置（車両コントロールユニット／ＥＣＵ）
２  高圧蓄電池（バッテリー）
３  充電器
４、４′  マイクロコンピュータ
５  低圧蓄電池（バッテリー）
６  システム始動スイッチ（ＩＧＮ）
７  電源リレー
８  変圧器
９  時計ＩＣ
１０  半導体スイッチ
１１  不揮発性メモリ
１２、１２′  電源部半導体スイッチ
１３  エンジン
１４  走行モータ（Ｍ）
１５  エンジン制御装置（ＥＣＭ）
１６  インバータ（ＩＮＶ）
１７  ナビゲーション装置（ＮＡＶＩ）
１８  アラーム出力部半導体スイッチ
【図１】
2015147471.tif 000003
【図２】
2015147471.tif 000004
【図３】
2015147471.tif 000005
【図４】
2015147471.tif 000006
【図５】
2015147471.tif 000007